Podtech/llm-jp-corpus-v4-ja_patent huggingface dataset:
(57)【要約】【課題】出力効率がよく、高調波成分による弊害の少ないトランスを提供する。【解決手段】１次コイル２と２次コイル３を有するトランスであって、２次コイル巻線用の巻き鍔１０ａの上に絶縁層１１を被覆し、その上に１次コイル２を巻回した。【選択図】　　　　図１
2004039923.tif 000002
【特許請求の範囲】
【請求項１】
１次コイルと２次コイルを有するトランスであって、２次コイル巻線用の巻き鍔の上に絶縁層を設け、その上に１次コイルを巻回したことを特徴とするトランス。
【発明の詳細な説明】
【０００１】
【発明の属する技術分野】
本発明は、巻き鍔を有し、１次，２次コイルを有するトランスに係り、特に１次コイルの巻回構造に関するものである。
【０００２】
【従来の技術】
以下、従来のトランスを図に基づいて説明する。
図２は第１の従来例に係るトランスの断面図であり、ボビン１に１次コイル２と２次コイル３を巻線した状態を示す。１次コイル２と２次コイル３は、ボビン１において磁心６の軸方向に並べて巻線されている。
【０００３】
このトランスは、１次コイル２と２次コイル３の結合が悪いため、両者コイル間の分布容量とリーケージインダクタンスが大きく、効率のよい出力が得られにくい。特に高圧を発生させるトランスにおいては、１次コイル２と２次コイル３の巻数比が大きいため、分布容量とリーケージインダクタンスによる高調波成分の影響で、出力変動・電流ピークが増大するなど様々な弊害を発生していた。
【０００４】
図３は、第２の従来例に係るトランスの断面図である。この１次コイル２と２次コイル３の分布容量・リーケージインダクタンスを小さくし結合を良くするために、図３に示すトランスにおいては、１次ボビン４に１次コイル２を巻線し、その上に２次ボビン５を重ねて２次コイル３を巻線していた。
【０００５】
この巻線構造では１次コイル２と２次コイル３の結合がよく、効率よく出力が得られ、高調波成分による弊害も小さくできるが、１次コイル用ボビン４と２次コイル用ボビン５の２つのボビンが必要となり、コストが高くなっていた。
【０００６】
【発明が解決しようとする課題】
上述したように、１次コイルと２次コイルを結合よく巻線し、分布容量・リーケージインダクタンスを小さくして効率よく出力を得て高調波成分の小さいトランスとするためには、１次，２次の２つのボビンを用いなければならず、コストが高くなるという問題があった。
【０００７】
或いは、一般的な１次コイルの上に絶縁テープ等の層を設け、その上に２次巻線を巻く構造とした場合では、２次コイルの巻数が多い高圧のトランスにおいては、層間紙巻き或いは積層巻き等の構造にしなければならず、製造コストが高くなる問題もあった。
【０００８】
本発明の目的は、このような従来技術の欠点を解消し、出力効率がよく、高調波成分による弊害の少ないトランスを提供することにある。
【０００９】
【課題を解決するための手段】
上記目的を達成するために本発明は、１次コイルと２次コイルを有するトランスであって、２次コイル巻線用の巻き鍔の上に絶縁層を設け、その上に１次コイルを巻回したことを特徴とするものである。
【００１０】
【発明の実施の形態】
以下、本発明の実施の形態を図１に基づいて説明する。同図は本発明の実施の形態に係るトランスの断面図で、従来例と同一個所には同一符号を付す。
【００１１】
ボビン１０に等間隔で多数形成された巻き鍔１０ａ間に２次コイル３が巻回され、その巻き鍔１０ａの上に、ボビン１０の軸方向のほぼ全域に亘って絶縁層１１が被覆されている。そしてその上に１次コイル２が巻回され、１次コイル２と２次コイル３は磁心６の軸方向に沿って平行に配置されている。
【００１２】
絶縁層１１は例えばポリウレタンやポリエステルなどの絶縁テープを巻装することにより構成され、この絶縁テープの幅は巻き鍔１０ａの間隔より広いものが使用されて、ボビン１０の両端の外側巻き鍔１０ｂ，１０ｃで絶縁層１１の横幅が規制されている。
【００１３】
ここで絶縁層１１は、１次コイル２と２次コイル３の電気的絶縁の機能を有するのは勿論であるが、１次コイル２を巻線するための機械的な土台となり、さらに絶縁層１１は各巻き鍔１０ａによって支持、補強されている。絶縁層１１は、１次コイル２を巻線できる強度の厚みを確保できればよく、モールドで２次コイル用のボビンを作成するより安価で小型なトランスが得られる。
【００１４】
２次コイル３の巻き鍔１０ａの高さにより２次コイル３と１次コイル２の距離を確実に確保できるが、巻き鍔１０ａの高さを低く抑え、巻数によって絶縁層１１の厚さを調整して両コイルの距離を確実に確保することができる。
【００１５】
【発明の効果】
以上説明したように本発明によれば、安価な構造により、１次コイルと２次コイルを重ね巻きすることができるため、分布容量・リーケージインダクタンスが小さい結合のよい巻線が可能で、出力効率がよく、高調波成分による弊害の少ないトランスを提供することが可能となる。
【図面の簡単な説明】
【図１】本発明の実施の形態に係るトランスの断面図である。
【図２】第１の従来例に係るトランスの断面図である。
【図３】第２の従来例に係るトランスの断面図である。
【符号の説明】
２　１次コイル
３　２次コイル
１０　ボビン
１０ａ　巻き鍔
１０ｂ，１０ｃ　外側巻き鍔
１１　絶縁層
【図１】
2004039923.tif 000003
【図２】
2004039923.tif 000004
【図３】
2004039923.tif 000005
(57)【要約】【課題】この発明の課題は、逆凹字形のプリント基盤であっても容易に取付ができしかも確実な取付ができ、しかも取り外しを容易にした冶具を提供するものである。【解決手段】電気的絶縁性を有し中央で折り曲げ可能な基盤と、電気部品が搭載される逆凹字形のプリント基盤と、このプリント基盤と相似形に前記基盤に掘削形成された逆凹字形の第１の溝と、この第１の溝に連続し、前記逆凹字形の肩部に左右上方に掘削形成した第２の溝と、前記逆凹字形の上辺で前記第２の溝より内側に掘削形成した第３の溝とからなることを特徴とする基盤冶具。【選択図】　　図３
2004039969.tif 000002
【特許請求の範囲】
【請求項１】
電気的絶縁性を有し中央で折り曲げ可能な基盤と、電気部品が搭載される逆凹字形のプリント基盤と、このプリント基盤と相似形に前記基盤に掘削形成された逆凹字形の第１の溝と、この第１の溝に連続し、前記逆凹字形の肩部に左右上方に掘削形成した第２の溝と、前記逆凹字形の上辺で前記第２の溝より内側に掘削形成した第３の溝とからなることを特徴とする基盤冶具。
【請求項２】
前記第３の溝及び第２の溝の終端部は円弧に形成してなることを特徴とする請求項１記載の基盤冶具。
【請求項３】
前記第２の溝は逆凹字形の肩部に上方に掘削形成したことを特徴とする請求項１項記載の基盤冶具。
【請求項４】
前記第２の溝は逆凹字形の肩部に左右に掘削形成したことを特徴とする請求項１項記載の基盤冶具。
【請求項５】
前記基盤の第１，２、３の溝に嵌合する前記プリント基盤の前記上辺箇所の対応する前記基盤面を段差を設けて形成してなることを特徴とする請求項１記載の基盤冶具。
【発明の詳細な説明】
【０００１】
【産業上の利用分野】
この発明は、例えばリチュームイオン電池の保護回路をプリント基盤に形成する場合に使用する基盤冶具に関し特にプリント基盤を取り出しやすくした基盤冶具に関する。
【０００２】
【従来の技術】
例えばリチュームイオン電池の保護回路は各種の電子部品で構成されるが、予め量産でプリント基盤上に取り付けられるものに対して、手作業で取り付ける電子部品もある。そういった電子部品取り付けれ場合、プリント基盤が動かないように固定する必要がある。特に逆凹字形のプリント基盤に電子部品を取り付ける場合に冶具が必要になる。又取り付けた後で容易に取り出すことが出来ることが要求される。
【０００３】
【発明が解決しようとする課題】
そこで、この発明の課題は逆凹字形のプリント基盤であっても容易に取付ができしかも確実な取付ができた後で容易に取り出すことが出来る冶具を提供するものである。
【０００４】
【課題を解決するための手段】
上記の課題を解決するために、気的絶縁性を有し中央で折り曲げ可能な基盤と、電気部品が搭載される逆凹字形のプリント基盤と、このプリント基盤と相似形に前記基盤に掘削形成された逆凹字形の第１の溝と、この第１の溝に連続し、前記逆凹字形の肩部に左右上方に掘削形成した第２の溝と、前記逆凹字形の上辺で前記第２の溝より内側に掘削形成した第３の溝とからなるものである。
【０００５】
【作用】
上記の第１、２、３溝を基盤に掘削して形成し、これにプリント基盤を嵌合して安定を図ることによって決められた箇所に電子部品を確実に取付ができ、しかも取り付けた後容易に取り外す事もでき歩留まりも向上できるものである。
【０００６】
【発明の実施の形態】
以下、この発明の一実施形態を図１、図２、図３に基づいて説明するが１はリチュームイオン電池の二次電池用の保護回路用として電子部品２を搭載したプリント基盤である。このプリント基盤１は逆凹字形で上辺３で左右の回路部分を連絡して一体化して形成したものである。このプリント基盤１は予め電子部品を部品搭載機械搭載したものを図２に示す冶具本体４の溝５，６，７に嵌合し、この嵌合状態でプリント基盤１に手作業で電子部品を搭載する。前記溝５，６，７はそれぞれ第１、第２、第３の溝に該当し、前記第１の溝５は逆凹字形に掘削形成し、この第１の溝５の肩部分に第２の溝６を上辺３に第３の溝７を掘削形成する。また第２、第３の溝６、７の端部は円弧状に形成してあって、引き起こすのに容易に小棒が挿入出来るようにしてある。前記第１、２、３の溝５，６，７の深さは前記プリント基盤１が収まるように設定してある。また、冶具本体４は途中で段差８を形成してあって、プリント基盤１に電子部品が搭載された場合の厚み方向の深さを確保出来るようにしてある。次に冶具本体４は中央から折り畳みができるように蝶番９を取り付けたある、従ってこの蝶番９の箇所で平面を構成出来るものである。即ち第１、２、３の溝５，６，７にプリント基盤１を挿入して他の部品を取り付ける場合、冶具本体４を蝶番９の箇所で平面にしてプリント基盤１に部品を取付、その取付が完了した後、蝶番９のところで折ってプリント基盤１を浮かせると容易に電子部品を取り付けたプリント基盤１を取り出すことができる。
【０００７】
【発明の効果】
以上のように、この発明は電気的絶縁性を有し中央で折り曲げ可能な基盤と、電気部品が搭載される逆凹字形のプリント基盤と、このプリント基盤と相似形に前記基盤に掘削形成された逆凹字形の第１の溝と、この第１の溝に連続し、前記逆凹字形の肩部に左右上方に掘削形成した第２の溝と、前記逆凹字形の上辺で前記第２の溝より内側に掘削形成した第３の溝とからなるから電子部品を取り付けるのに確実に取り付ける事ができるうえに取り外しも容易になる効果がある。
【図面の簡単な説明】
【図１】この発明の一実施形態としてのプリント基盤の斜視図。
【図２】冶具本体の斜視図。
【図３】冶具の斜視図。
【符号の説明】
１　プリント基盤
２　電子部品
３　上辺
４　冶具本体
５　第１の溝
６　第２の溝
７　第３の溝
８　段差
９　蝶番
【図１】
2004039969.tif 000003
【図２】
2004039969.tif 000004
【図３】
2004039969.tif 000005
(57)【要約】【課題】電動芝刈り機、植木バリカン等の電動工具を電源から離れた広い作業域で使用する場合、これまでは、まず電源に接続したコードリールを作業域近くまで運び、これに延長コードを介して電動工具を接続する必要があった。またそれらの収納にも時間と手間がかかっていた。このような時間と労力をセーブすることが望まれている。【解決手段】電源側とドラムに巻いたる延長コード側の間を相対回転するリングと接触子によって電気的に結んだ構造のコードリールを電源近くに定置することにより、あたかも一本の伸縮自在な延長コードを使用するような作業環境を提供する。【選択図】　図１
2004039368.tif 000002
【特許請求の範囲】
【請求項１】
回転軸に固定した電源側回路と、回転するドラムに巻いたコード側すなわち負荷回路とを、相対回転する金属リングと接触子の摺動接触等により電気的に結んだ延長コードリール
【発明の詳細な説明】
【０００１】
【発明の属する技術分野】
電源を導入したドラム支持側とドラムに巻いたコード側とを、金属リングと接触子等でドラムの回転に関わらず導通させる機能を、従来のコードリールに付加する技術
【０００２】
【従来の技術】
従来用いられてきたコードリールは、巻き始めがドラム側面のコンセントに接続され、電源に接続するためのプラグを巻き終わり端とする一本のコードが、ドラムの可動部分に巻かれているに過ぎない。このため、プラグを電源コンセントに差し込んで、コードを曳きだしながらコードリール本体を作業場近くまで運び、ドラム側面のコンセントに電動工具のプラグを差し込んで作業するしか方法がなかった。この方式は数個の電動工具を狭い範囲で使用するには便利であるが、芝刈機とか植木バリカンなどのように野外の広い作業域を自由に動きながら使用する場合には、延長コードを併用することが必要となる。延長コードとは電源側端にプラグ、負荷側端にレセプタクルをもつコードを意味するものとする。延長コードは電動工具のコード長を実質的に延ばして作業域を広くするが、リールのない長い延長コードはもつれる可能性などから取り扱いが面倒である。コードリールに長い延長コードをつないで使えば、延長コードの取り扱いに手間がかかる上、コードリールを作業域まで運び作業終了後には再び収納位置に運んでコードを巻き取らなければならない。このように準備、収納に要する時間と労力は、全作業能率を低下させる。
【０００３】
【発明が解決しようとする課題】
電源近くにおいたリールから直接延長コード引き出しその先に電動工具を接続して、広域での身軽な作業を可能にしたい。すなわち従来型のコードリールと延長コードを併用する不便さをなくし、長い延長コードを容易に曳きだし巻き戻しのできる形で提供しようとするものである。
【０００４】
【課題を解決するための手段】
回転軸に固定した電源側回路と、回転するドラムに巻いたコード側すなわち負荷回路とを、相対回転するリングと接触子の摺動接触等により電気的に結ぶことにより、固定した電源から回転するドラムに巻かれたコードを通して電力を供給する機能を与える。さらに便利な延長コードリールとしての補助的機能を付加する。
【０００５】
【発明の実施の形態】
摺動接触等による回転導通回路には種々の構造のものが考えられるので、ここではその構造を特定せず、１例だけを示す。
【０００６】
【実施例１】
リール全体の構造としては従来のものと大差はない。しかし回転導通機能を与えるため、図１のように、リールドラム１のシャフト役を果たすパイプ２に、２個のリング３をつけた回転対称の絶縁物４を固定する。リング３には電源コード５を接続しておく。電源コードの先端にはプラグ６をつける。
【０００７】
２枚のドラム側板の内、固定絶縁物側の１枚７は、絶縁物３を軸にして回転できるように直径の大きい穴をあけたものとする。他の一枚８は普通のリールと同様パイプを軸にして回転する。
【０００８】
ドラムに固定した絶縁物９に、２個の刷子あるいは弾性接触片１０をそれぞれリングに弾性接触するように保持させる。刷子の端子は延長コード１１に接続し、その先端にはレセプタクル１２をつける。これで電源プラグからコード先端のレセプタクルまで、ドラムの回転に関わらず２回路の導通が完成する。
【０００９】
【発明の効果】
リールを作業位置まで運ばず、長いコードをもつらせる心配もなく、あたかも一本の延長コードを引き出して使う場合のように楽に準備ができることは、作業を始めるまでの時間と労力を大きくセーブし、作業に対する心理的負担も軽減する。
【００１０】
作業終了時、コード収納の労力も大いに軽減される。これまではコードリールを持ち運ぶことを前提にしていたためリールを軽くしておく必要があった。しかし定置しておくリールを軽くすることは要求されないので、巻き取り時に便利なようにリールを適当な台に取り付けることができる。また巻き取りのハンドル１３も大きいものをつけておくとよい。
【００１１】
リールを適当な高さの回転台に取り付けておけば、コードを引く方向にリールが回転して引き出しが容易となり、巻き取りの際はその方向のまま腰を屈めずに楽に巻き取り作業ができる。
【００１２】
【図面の簡単な説明】
【図１】は回転導通部をもつ延長コードリールを側面から見た断面図である。
【符号の説明】
１　リールドラム
２　軸パイプ
３　金属リング
４　固定側絶縁物
５　電源コード
６　プラグ
７　固定側ドラム側板
８　ドラム側板
９　ドラムに固定した絶縁物
１０　刷子
１１　延長コード
１２　レセプタクル
１３　ハンドル
【図１】
2004039368.tif 000003
(57)【要約】【課題】折り曲げできる導線にハンダ付け作業を要さずに発光体を取り付けて屈曲可能な発光表示体を提供すること。【解決手段】平行する陽極と陰極の導線に複数の発光体を並列に設けた屈曲可能な発光表示体において、発光体をＬＥＤチップと抵抗片を有する本体と、本体に被せる蓋体で構成する。本体と蓋体の当接部に形成した挿孔に導線を挿通し、本体に配置した陽極片と陰極片が、陽極と陰極の導線に食い込み状に係着する。【選択図】          図１
2004206030.tif 000002
【特許請求の範囲】
【請求項１】
平行する陽極と陰極の導線に複数の発光体を並列に設けた屈曲可能な発光表示体において、前記発光体がＬＥＤチップと抵抗片を有する本体と該本体に被せる蓋体からなり、本体と蓋体の接合部に形成した挿孔に前記導線を挿通するとともに本体に配置固定した陽極片と陰極片が、陽極と陰極の導線に係着してなる屈曲可能な発光表示体。
【発明の詳細な説明】
【０００１】
【発明の属する技術分野】
本発明は、柔軟な導線にＬＥＤ（発光ダイオード）チップを有する発光体を列設した屈曲可能な発光表示体に関する。
【０００２】
【従来の技術】
従来の発光ダイオードはプリント基板に固定されたものが殆どで、固定手段としてハンダ付け作業を必要としていた。またプリント基板以外の部材を用いて屈曲性を実現するとしても、ＬＥＤチップはケーブルに取り付けるのでそのためにはハンダ付けで固定するのが一般的手法である。
【０００３】
【発明が解決しようとする課題】
プリント基板による従来からの取り付けは、ハンダ付け作業が面倒で労力と時間を要し、製品がコスト高になるのと、エポキシ樹脂等の硬質素材からなるプリント基板は屈曲が難しく、例えば看板の文字に沿って取り付ける際に微妙な個所で位置ずれするといった不利と、平板状のプリント基板では画一的で限定的な表示にならざるを得ない等の不具合がある。
【０００４】
それゆえプリント基板に替えてＬＥＤチップをケーブルにハンダ付けして回路となし、その後の組み立てを屈曲性を有する部材にて完成させるといった手法は一面では有効であるが、ハンダ付けそのものが煩雑で大量生産に適切でなく、また屈曲性部材に組み込むことに技術を要して製作に手間がかゝり、製品が安価に得られないという問題点がある。
【０００５】
本発明はこのような従来技術の不利解消を目的としたもので、一切のハンダ付け作業を一掃し、ＬＥＤチップを有する発光体を、陽極と陰極の平行する折り曲げ自在な導線に取り付けて屈曲可能に構成し、所要箇所で切断することで任意の個所に設置でき、画一的でなく立体的表示が容易でしかも複雑な設置作業を必要とすることのない発光表示体を安価に提供しようとするものである。
【０００６】
【課題を解決するための手段】
すなわち本発明は、平行する陽極と陰極の導線１０に複数の発光体２０を並列に設けた屈曲可能な発光表示体１において、前記発光体２０がＬＥＤチップ２４と抵抗片２６を有する本体２１と該本体に被せる蓋体２２からなり、本体２１と蓋体２２の接合部に形成した挿孔２９に前記導線１０を挿通するとともに本体２１に配置固定した陽極片３０と陰極片３１が、陽極と陰極の導線１０に食い込み状に係着してなる屈曲可能な発光表示体を主旨としている。
【０００７】
【発明の実施の形態】
図面に基づき本発明を説明すると、１は、上下に平行する陽極と陰極の柔軟な導線１０に複数の発光体２０を並列に設けた屈曲可能な発光表示体であり、導線１０は、断面円形の心線１１に絶縁体である被覆線１２を被せて構成したもので、図示はしないが導線１０の両端部は電源に接続され、任意の個所で切断した場合は切断した個所に電源を取り付ける。
【０００８】
上記発光体２０は透明又は半透明の合成樹脂からなる外面方形で箱形の本体２１と、該本体２１に被せる浅底状の蓋体２２からなるもので、本体２１における蓋体２２と反対側の開口２３の内側にＬＥＤチップ２４を組み込んでいる。発光体２０は折り曲げできる柔軟な導線１０に沿っているため例えば導線１０をジグザグ状にすることで鋭角的な配列も可能となる。
【０００９】
本体２１の中程部に形成した仕切壁２５を挟んでＬＥＤチップ２４と反対側に抵抗片２６を配置し、該抵抗片２６に、ＬＥＤチップ２４の片側電極２４ａに基部を固定した陽極片３０を突出して密着し、また他方の電極２４ｂに基部を固定した陰極片３１を蓋体側に突出形成する。陽極片３０と陰極片３１の突出部は、本体２１の前後に形成した半円形の凹陥部２７と中心が略同一線上となるように凹設する。蓋体２２にも凹陥部２７と合致する凹陥部２８があり、したがって双方の接合部には挿孔２９が形成されるので、この中に導線１０が挿通される態様となり、発光体２０内において導線１０の心線１１に陽・陰極片３０・３１が食い込み状に係着する。なお本体２１と蓋体２２は合成樹脂の一体成型で形成でき両者は超音波接着等により結合される。
【００１０】
発光体２０の相互の間隔は任意に決めることができるので、設置する装置に応じて文字・図柄などの微細な点に至るまで所望する態様の表示体とすることができ、また導線１０・発光体２０は、引掛具やレール体などの取付部材に容易に取り付け・取り外しができること勿論である。なお本発明の外観形状、例えばＬＥＤチップの中心を突出状とするなど、本発明の目的・効果を奏する範囲における変更は本発明の自由な実施の範疇に属する。
【００１１】
【発明の効果】
本発明では、ＬＥＤチップを有する発光体を導線に列設し、この導線は柔軟で鋭角に折り曲げることができ、また抵抗片を設けて随所で切断しての使用も可能で、更には移動や取り替えも容易であるから固定された看板等のイルミネーションとしても、或いは動く物体や動物にも自在に取り付けが可能でその応用範囲が極めて広く、有用性の高い発明である。
【００１２】
本体と蓋体は合成樹脂の一体成型により得られて組立がしやすいのと、ハンダ付け作業を一切不要とし、そのための労力を必要としないので製造にかゝるコストダウンが所期され、製品を安価に提供できる。
【００１３】
陽極片と陰極片が、陽極と陰極の心線に食い込み状に係合して確固たる取り付けがなされ、ＬＥＤチップ等も本体と蓋体によってカバーされるため傷損等の不測の事態を未然に防止できる。
【図面の簡単な説明】
【図１】本発明を示し、（ａ）は全体の正面図、（ｂ）は平面図、（ｃ）は側面図、（ｄ）は本体と蓋体の斜視図である。
【図２】本体の内部構造を示し、（ａ）は正面図、（ｂ）は同上のＡ−Ａ線断面図、（ｃ）はＢ−Ｂ線断面図である。
【符号の説明】
１    発光表示体
１０  導線
１１  心線
１２  被覆線
２０  発光体
２１  本体
２２  蓋体
２３  開口
２４  ＬＥＤチップ
２５  仕切壁
２６  抵抗片
２７  凹陥部
２８  凹陥部
２９  挿孔
３０  陽極片
３１  陰極片
【図１】
2004206030.tif 000003
【図２】
2004206030.tif 000004
(57)【要約】【課題】撮影時にシャッターボタンを押すときの手ぶれを防止する。【解決手段】機械式シャッターボタンの代わりに、センサを取り付け指の動きを感知してシャッターがおりるようにする。そうすることによって、指の負荷が本体に伝わりづらくなり手ぶれを防止できる。【選択図】なし【特許請求の範囲】
【請求項１】
カメラの機械式シャッターボタンの代わりに、センサを取り付け、指の動きを感知することによってシャッターがおりるようにする。そうすることによって指の負荷が本体に伝わりづらくなり、撮影時に手ぶれを防止できるようにしたカメラ。
【発明の詳細な説明】
【０００１】
【発明の属する技術分野】
本発明は、カメラの機械式シャッターボタンの代わりに、センサを取り付け、指の動きを感知することによってシャッターがおりるカメラである。指の負荷が本体に伝わりづらいため、撮影時に手ぶれを防止できる。
【０００２】
【従来の技術】
従来のシャッターボタンは機械式のためボタンを押すときに指の負荷が伝わり慎重に押さないと手ぶれになる可能性があった。
【０００３】
【発明の実施の形態】
本発明は、シャッターボタンを押すときに負荷が伝わりづらくするため、機械式ボタンの代わりに、指の動きを感知するセンサを取り付けたカメラである。
【０００４】
【発明の効果】
このようにすれば、シャッターボタンを押すときに慎重にならなくても手ぶれを防止できる。手先が多少不器用な人でも手ぶれせずに撮影が可能となる。
(57)【要約】【課題】本発明は、従来の録音・録画は目の前にあるものをそのまま記録するのが目的で、後日、その録音・録画がいつ作成されたのか、又作成後、手を加えられたり、修正されたり、改ざんされたりしたものではないと証明することは要求されなかったし、また要求された場合にはその証明は大変な労力を要するので、これを解決するための発明である。【解決手段】本発明は正確な時刻管理の下でコンピュターのデジタル録音・録画と電子認証システムを組み合わせることで録音・録画時刻とその内容の普遍性を証明するものである。すなわちコンピュータを使用してデジタル録音・録画を行い、終了後、直ちにそのデジタルファイルを電子認証システムへ伝送し、認証を受け、証明書を発行して貰うことでこれを解決する。【選択図】  図１
2004206649.tif 000002
【特許請求の範囲】
【請求項１】
正確な時刻管理の下で、音、音声、画像などをデジタル録音・録画し、録音・録画終了後直ちにその録音・録画ファイルを電子認証させることにより、その録音・録画内容が無変更、無修正であり、かつ正確な記録時刻を保証する録音・録画システム。
【発明の詳細な説明】
【０００１】
【発明の属する技術分野】
本発明はデジタル録音・録画とＩＴの電子認証技術を組み合わせたものである。
【０００２】
【従来の技術】
従来の録音・録画は音源・画像源をある一定時間、記録（録音・録画）することだけで、その記録内容、記録時刻を認証する概念はなかった。
【０００３】
【発明が解決しようとする課題】
録音・録画方式がアナログ、デジタルのどちらであれ、録音・録画された内容が後日、変更、修正されていないことを証明するのは大変で、かつ時間も掛かる。本発明はこれを簡単に解決しようとするものである。
【０００４】
【課題を解決するための手段】
本発明はデジタル録音・録画された音声・画像ファイルをＩＴのファイル電子認証システムに電子認証させることによりこの問題点を解決している。
【０００５】
【発明の実施の形態】
音源・画像源から音・映像を採取するマイク・カメラ、採取した音・映像をデジタルファイルに加工するコンピューター、正確な時刻管理下でコンピューターとファイル電子認証システム間のファイル伝送をコントロールするサーバーと電子認証システム（サーバー内に構築又は電子認証を行う業者へのファイル転送）を結合させることで可能となる。
【０００６】
【実施例】
以下、添付図面に従って実施例を説明する。図は電話の通話内容を録音し、
その内容が変更・改ざんされていないことを証明するシステムである。
【０００７】
発信者は１の電話機を使って、３の交換機経由で２の電話機に電話を掛け、
２の電話機に出た受信者と通話を行う。
【０００８】
１と２の通話中の音声および音は交換機通じてコンピューターの録音機能によりデジタル録音される。
【０００９】
通話が録音されたデジタルファイルは通話終了（どちらかの電話機がオンフックされる）後直ちに、電子認証システム（又は電子認証サービス業者のセンター）に伝送され、電子認証を受ける。電子認証システムからは電子認証の証明書が返送されてくる。
【００１０】
５のサーバーは電子認証システムから送られてきた証明書を確認すると、その証明書と元のデジタルファイルを６のファイルサーバーへ伝送し、保存する。
【００１１】
【発明の効果】
従来であれば、仮に通話内容が録音されていたとしても、その録音内容が事実であると証明するのはたいへんであったが、この発明ではそれが直ちに証明できる。
【図面の簡単な説明】
【図１】本発明の実例を示した平面図である。
【符号の説明】
１電話機（又はテレビ電話機）＜発信側＞
２電話機（又はテレビ電話機）＜着信側＞
３交換機
４コンピューター
５サーバー
６ファイルサーバー
７時計システム
８電子認証システム
【図１】
2004206649.tif 000003
(57)【要約】【課題】従来技術によれば、マウスのコードが邪魔になって操作し辛く、マウス自体を本体に収納できないことや、操作スペースが最低でも一般的なマウスパッドほどの大きさが必要となること、また利き手の違いによりマウス操作が問題となる事、初心者や手が少し不自由な人にとっては腕や肩に負担が掛り操作し辛い事があった。【解決手段】マウスをペン型のコードレスにする事によってパソコン本体に収納することができ、軽量型のためより小さなスペースで操作できる事や、マウスを持ちながらキー操作をすることもでき、マウス操作が従来より容易になるためより使い易く、腕や肩への負担も軽減される作りとなっている。【選択図】図１
2004206190.tif 000002
【特許請求の範囲】
【請求項１】
このマウスはペン型でコードレスであるためパソコン本体に収納をすることができ、軽量型のためより小さなスペースで操作する事や、マウスを持ちながらキー操作することができ、初心者や利き手を問わず、手の動かし辛い高齢者及び障害を持つ人でも握ることが可能なら、操作できることを特徴とするペン型のコードレスマウス
【発明の詳細な説明】
【０００１】
【発明の属する技術分野】
この発明は、パソコンに用いるマウスの形状に関する。
【０００２】
【従来の技術】
従来のマウスでは図６が示すように、パソコンからコードがマウス本体１に接続されており、操作するためにはマウス本体下部のボール２を上下左右に動かし３の左ボタンと４の右ボタンそして５のドラッグを、クリックまたはドラッグさせて操作していた。
【０００３】
【発明が解決しようとする課題】
しかしながら、以上の従来技術によれば、マウスのコードが邪魔になって操作し辛い事、またマウス自体を本体に収納できない事、最低２２ｃｍ×１８ｃｍ程の移動範囲（一般的なマウスパッドの大きさ)が必要となる事、利き手の違いが問題となる事、初心者や手が少し不自由な人にとっては人差指と中指を特に使うため腕や肩に負担が掛り操作し辛い事があった。
そこで、この発明は、コードレスで本体に収納でき省スペースで操作が可能であること、また利き手に関らず腕や肩に負担がかかりにくいマウスを提供することを課題とする。
【０００４】
【課題を解決するための手段】
以上の課題を解決するために、請求項１の発明は、ペン型でコードレスであるためパソコン本体に収納を可能とすることができ、軽量型でマウスボールが小さいためより小さなスペースで操作する事やマウスを持ちながらキー操作することができ、初心者や利き手を問わず、手の動かし難い高齢者及び障害を持つ人でも、握ることが可能なら操作できることを特徴とするペン型コードレスマウスである。
【０００５】
【発明の実施の形態】
この発明の一実施形態を、図１〜５に示す。
(図１)マウス本体は、ペン形をしており通常のペンで用いられるプラスチックを素材とし、通常のペンと同じように持って使用する。(図２)パソコンとマウスは電波によって通信連動させ、パソコンに収納できる作りとする。(図３)そして、このマウス本体１の先端にボール２が付けられ、３の部分を上下にノック式にしてボールをスライドさせることによって従来マウスの左ボタンのクリックとドラッグを実現し、(図４) ４の部分を親指の付根で左右にノックする事によって従来マウスの右ボタンのクリックを実現させ、 (図５) ５の部分を前後に動かしてスクロールをする作りとする。
【０００６】
「実施形態の効果」
この実施形態によれば、マウスをペン型のコードレスにする事によってパソコン本体に収納でき、マウス操作が従来より容易になるため、より使い易くなる。
【０００７】
「他の実施形態」
図１の実態形態によれば本体の素材をプラスチックとしたが、通常のペンで用いられるステンレスなどの素材でもよい。また、ペンの持ち手部分にすべり止めグリップをつけると、より操作しやすい。
また、パソコンとマウスの通信も電波としたが、赤外線や光ファイバーなどのより感度の良い環境に適したものでもよい。
【０００８】
【発明の効果】
以上説明したように、この発明によれば、マウスのコードが邪魔になって操作し辛かった点がコードレスにする事によって操作し易くなり、ペン型にする事によってパソコン本体に収納が可能となり、従来よりも省スペースでの操作ができ初心者や手の動きの不自由な人、利き手の違いなどに関わりなく操作し易く腕や肩への負担を減らす事が出来る。
【０００９】
ペン型のコードレスマウスならノートパソコン上でも使う事が出来る。
【図面の簡単な説明】
【図１】この発明の一実施形態を示す斜視図である。
【図２】パソコンに収納でき、電波で連動させていることを示す図である。
【図３】マウスボールをスライドさせペンを上下にクリックさせて従来マウスの左ボタンの働きを示す図である。
【図４】ペン側面に付けられたボタンをクリックし従来マウス右ボタンの働きを示した図である。
【図５】ペン本体にスクロールを付けた図である。
【図６】従来技術を示す斜視図である。
【符号の説明】
１ペン型コードレスマウス本体
２マウスボール
３左ボタン相当部分
４右ボタン相当部分
５スクロール
６電波感知部分
【図１】
2004206190.tif 000003
【図２】
2004206190.tif 000004
【図３】
2004206190.tif 000005
【図４】
2004206190.tif 000006
【図５】
2004206190.tif 000007
【図６】
2004206190.tif 000008
(57)【要約】【課題】広い音場を得る場合はスピーカの間隔を大きくして設置する必要があり、設置空間を大きく必要とした。【解決手段】振動軸が互いに略１８０度の角度となるよう配置されたＬチャンネル及びＲチャンネル用スピーカユニットと、スピーカユニットの前面にそれぞれ設けられ、スピーカユニットの振動軸と略平行とされた導音板とからなる。【選択図】        図１
2004208085.tif 000002
【特許請求の範囲】
【請求項１】
振動軸が互いに略１８０度の角度となるよう配置されたＬチャンネル及びＲチャンネル用スピーカユニットと、
該スピーカユニットの前面にそれぞれ設けられ、該スピーカユニットの振動軸と略平行とされた導音板とからなることを特徴とするスピーカシステム。
【請求項２】
前記導音板は、前記スピーカユニットから離れるにつれてその幅が広がるよう形成されていることを特徴とする請求項１に記載のスピーカシステム。
【発明の詳細な説明】
【０００１】
【発明の属する技術分野】
本発明は、スピーカに関する。
【０００２】
【従来の技術】
本出願人は、これまでスピーカから発する音が空間上でどのように伝搬し、リスナーの耳まで届くのかについて研究を行ってきた。
【０００３】
【発明が解決しようとする課題】
一般的にＬ、Ｒチャンネルのステレオ信号を所定の間隔をあけて配置された２つのスピーカによって再生することにより、録音時の音場空間を再現することが可能であるが、通常はスピーカの振動軸がリスナー方向を向くようスピーカを設置する。このスピーカから音が放射されるが、通常はこの２つのスピーカの間に音像が定位する。従って、広い音場を得る場合はスピーカの間隔を大きくして設置する必要があり、設置空間を大きく必要とした。
【０００４】
【課題を解決するための手段】
本発明は上述の課題を解決するために、振動軸が互いに略１８０度の角度となるよう配置されたＬチャンネル及びＲチャンネル用スピーカユニットと、スピーカユニットの前面にそれぞれ設けられ、スピーカユニットの振動軸と略平行とされた導音板とからなる。
【０００５】
【発明の実施の形態】
以下、本発明の実施例を説明する。図１、図２はスピーカシステム１の正面図である。密閉型のエンクロージャ２、３にはそれぞれ、Ｌチャンネル用スピーカユニット４及びＲチャンネル用スピーカユニット５が背中合わせになるよう設けられ、Ｌチャンネル用スピーカユニット４及びＲチャンネル用スピーカユニット５の振動軸は互いに１８０度の角度とされている。従って、各スピーカユニット４、５からの再生音は互いに反対方向に空間上に放射される。なお、６はエンクロージャ２、３を分離するための隔壁である。
【０００６】
スピーカユニット４、５の振動軸と平行になるよう導音壁７、８がそれぞれ設けられている。この導音壁７、８によって、スピーカユニット４、５からの放射される再生音は、直接リスナー方向に向かうのではなく、この導音壁７、８に沿って拡散する。従って、再生される音場空間はスピーカユニット４、５の間隔よりも広くなる。
【０００７】
ここで、スピーカユニット４、５からの再生音を振動軸方向に伝達するため、ユニットの前方に筒型の箱を設けることも考えられるが、この場合、再生音は筒内部で共鳴し、本来の音質と異なる音になってしまう。又同様に２枚の壁を９０度の角度をもって設けることも考えられるが、壁同士で音が反射し、結果的に筒の場合と同じような共鳴音になってしまう。従って、本実施例のごとく、１枚の平面的な壁を設けるのが音質的に最も好ましい。
【０００８】
なお、導音壁７、８の前面に一点鎖線で示すようにグリル９を設けることにより、スピーカシステム１の全体的な形状が直方体となるよう構成しても良い。この場合、グリル９は音をできるだけ透過する素材であることが望ましい。
【０００９】
図３及び図４はこのスピーカシステム１をプラズマディスプレイ１０の上部に設置した状態を示す正面図及び側面図である。スピーカシステム１からの再生音は、導音板７、８に沿って放射されるため、導音板７、８がないスピーカシステムに比べ、音像が左右方向に広がり、豊かな再生音場を得ることが出来る。
【００１０】
図５は他の実施例のスピーカシステム１０を示す。スピーカユニット４、５からは放射状に音が拡散する。従って、導音板７、８もスピーカユニット４、５を中心に放射状となるよう構成しても良い。その場合、図３及び図４に示すように例えばプラズマディスプレイ１０上に置くことは困難となるが、所要のスピーカスタンドに固定して設置すればよい。
【００１１】
なお、上述の実施例においては、ステレオ２チャンネルで実施例を説明したが、このスピーカシステムを６．１チャンネルサラウンド信号の再生用に使用してもよい。この場合、センタースピーカを追加し、その振動軸はリスナー方向に向けるのが望ましい。
【００１２】
また、上述の実施例においてはＬチャンネル用スピーカユニット４のエンクロージャ２と、Ｒチャンネル用スピーカユニット５のエンクロージャ３は一体に形成しているが、本発明はこれに限定されることなく、別体で構成しても良い。
【００１３】
【発明の効果】
以上のごとく、本発明によれば、小型ながら広がりのある再生音を得ることができる。
【図面の簡単な説明】
【図１】スピーカシシテム１の正面図。
【図２】スピーカシシテム１の上面図。
【図３】スピーカシステム１をプラズマディスプレイ１０に乗せた状態の正面図。
【図４】スピーカシステム１をプラズマディスプレイ１０に乗せた状態の側面図。
【図５】スピーカシステム１の他の実施例を示す正面図。
【符号の説明】
１、１０  スピーカシステム
４、５  スピーカユニット
７、８  導音板
【図１】
2004208085.tif 000003
【図２】
2004208085.tif 000004
【図３】
2004208085.tif 000005
【図４】
2004208085.tif 000006
【図５】
2004208085.tif 000007
(57)【要約】【課題】摂取する事によって健康に良いとされる備長炭（炭）の成分を生活上で手軽にお茶と一緒に摂取させ尚且つ、お茶の持つ栄養素を最大限に接種出来る方法を提供する。【解決手段】粉末状にした備長炭（炭）とお茶葉を用意し、併せ混ぜる（１対１０位の割合で）。それを１０日間程、直射日光を避けた場所で熟成させた上で熱湯に入れ２〜３分沸騰させる。これをお茶として頂く事により課題が解決される。今発明での熟成過程により、備長炭（炭）に予めお茶葉の成分を閉じ込め水（湯）に溶かす際、弱アルカリ性成分にお茶の成分を包み込ませ水（湯）に溶かす事が出来る事が可能となった。その為、お茶の成分と備長炭（炭）の弱アルカリ性成分を余す事無く摂取出来る。【特許請求の範囲】
【請求項１】
お茶に対し粉末にした備長炭（炭）を適量混合後、１０日間熟成してお茶本来の栄養素以外に備長炭（炭）に含まれているカルシウム、鉄、マグネシウム等のミネラル成分を加味した茶飲料の作成方法。
【発明の詳細な説明】
【０００１】
【産業上の利用分野】本発明は、備長炭（炭）特有の効果によりお茶本来の栄養素を最大限摂取出来、尚且つ備長炭（炭）の持つカルシウム、鉄、マグネシウム等のミネラル成分をも同時に摂取出来る方法に関する。
【０００２】
【従来の技術】従来から、茶飲料は加熱、殺菌等の工程中の加熱により風味や味などが劣化する事が問題であり、備長炭（炭）は健康上にも良いとされながらも単体ではお茶として摂取するのは味も無く困難であった。
【０００３】
【本発明が解決しようとする課題】風味や味の劣化する事以外にも備長炭（炭）の持つカルシウム、鉄、マグネシウム等のミネラル成分を摂取し、同時にお茶の持つ栄養素を最大限に摂取する目的を先駆けて解決しなければいけない事柄であった。
【０００４】
【問題を解決する手段】本発明は、お茶葉に対し備長炭（炭）を粉末にした物を適量混合し苦味を低減、備長炭（炭）の栄養素を加味した茶飲料の作成方法である。
【０００５】
【作用】本発明は、お茶葉に対し備長炭（炭）を適量混合し、備長炭（炭）の効果によりお茶の持つ栄養素を摂取出来る他、お茶独特の苦味を吸着させ更に、備長炭（炭）にあるカルシウム、鉄、マグネシウム等のミネラル成分を加味させる事が出来る。
【０００６】
【実施例１】原料として美容と健康、ダイエット効果があるとされる茶葉と備長炭（炭）を使用する。
紅雪茶（雪茶）０．５、白芽奇蘭１．０、羅布麻茶２．０、くま笹茶２．０、スギナ茶２．０、苦丁茶０．５、金銀花０．５、正山小種１．０、佛手茶１．０、六堡茶１．０、の割合で併せたお茶葉に砕いた備長炭（炭）１．０を加え１０日間、直射日光の当たらない場所で熟成させる。
熟成させた茶葉２ｇを７５０ｍｌ程の水に入れ沸かし、２〜３分程沸騰させる。
【０００７】
【効果】本発明は、お茶葉に対し備長炭（炭）を適量混合後１０日間程度寝かせた茶飲料を製造する方法であるから。お茶独特の異質な苦味を低減し、お茶本来の栄養素以外にも備長炭（炭）が持つカルシウム、鉄、マグネシウム等のミネラル成分を付加する事が出来る。
【手続補正書】
【提出日】平成15年1月29日(2003.1.29)
【手続補正１】
【補正対象書類名】明細書
【補正対象項目名】特許請求の範囲
【補正方法】変更
【補正の内容】
【特許請求の範囲】
【請求項１】
お茶に対し粉末にした備長炭（炭）を適量混合後、１０日間熟成してお茶本来の栄養素以外に備長炭（炭）に含まれているカルシウム、鉄、マグネシウム等のミネラル成分を加味した茶飲料の作成方法。
【請求項２】
お茶葉に備長炭（炭）を混ぜる事に関する。
(57)【要約】【課題】動物性タンパク質・適応した培地を検索し、分解工程を確認する事。【解決の手段】実験結果により、動物性タンパク質を分解する微生物である。【選択図】    なし【特許請求の範囲】
【請求項１】
受託番号
イ）ＦＥＲＭ    Ｐ−１９１２８
ロ）ＦＥＲＭ    Ｐ−１９１２９
ハ）ＦＥＲＭ    Ｐ−１９１３０
ニ）ＦＥＲＭ    Ｐ−１９１３１
ホ）ＦＥＲＭ    Ｐ−１９１３２
ヘ）ＦＥＲＭ    Ｐ−１９１３３
ト）ＦＥＲＭ    Ｐ−１９１３４
チ）ＦＥＲＭ    Ｐ−１９１３５
リ）ＦＥＲＭ    Ｐ−１９１３６
ヌ）ＦＥＲＭ    Ｐ−１９１３７
ワ）ＦＥＲＭ    Ｐ−１９１３８
ヲ）ＦＥＲＭ    Ｐ−１９１３９
【発明の詳細な説明】
【０００１】
【発明の属する技術分野】
特許微生物寄託センターに寄託したものである。
【０００２】
【従来の技術】
動物性タンパク質等の分解菌が発見されていない。
【０００３】
【発明者が解決しようとする課題】
ＤＮＡ・ＲＮＡ等遺伝子解析を実施し塩基配列によって問題を解決する。
【０００４】
【課題を解決する為の手段】
本発明は、動物性タンパク質等を分解するかを確認する。
【０００５】
【発明の実態の形態】
本発明は、動物性タンパク質等分解する菌であるかゲノム解析にて確認する。
【０００６】
【実施例】
以下本発明をさらに詳細に説明する。
本発明の実施例においては、他の研究機関に依頼し実験の結果に基づくものである。
【受託所】
郵便番号  ３０５−８５６６
住所      茨城県つくば市東１−１−１中央第６
独立行政法人  産業技術総合研究所
特許生物寄託センター
【受託番号】
１  ＦＥＲＭ    Ｐ−１９１２８
２  ＦＥＲＭ    Ｐ−１９１２９
３  ＦＥＲＭ    Ｐ−１９１３０
４  ＦＥＲＭ    Ｐ−１９１３１
５  ＦＥＲＭ    Ｐ−１９１３２
６  ＦＥＲＭ    Ｐ−１９１３３
７  ＦＥＲＭ    Ｐ−１９１３４
８  ＦＥＲＭ    Ｐ−１９１３５
９  ＦＥＲＭ    Ｐ−１９１３６
１０  ＦＥＲＭ    Ｐ−１９１３７
１１  ＦＥＲＭ    Ｐ−１９１３８
１２  ＦＥＲＭ    Ｐ−１９１３９
(57)【要約】【課題】この発明は、育成ヤマメを淡水でサクラマスに育成する方法に関するものである。【解決手段】育成ヤマメの餌に、甲殻類の餌を与えてサクラマスに育成することで解決したのである。【選択図】図２
2004208677.tif 000002
【特許請求の範囲】
【請求項１】
育成ヤマメの餌に甲殻類の餌を与える
【発明の詳細な説明】
本発明は、育成ヤマメの餌に甲殻類の餌を与えるものである。
自然界のヤマメは、陸封型と下降型に分かれ、サクラマスは下降したヤマメが海で生活し、一年後成魚となって産卵のため元の川に戻ってくるのである。
陸封型のヤマメは、成魚のオスは放精し、メスは産卵せず生涯を終えるのである。
本発明は、ヤマメの習性を考え、育成ヤマメの餌に甲殻類の餌を与えて、サクラマスに育成することを発明したのである。
本発明は、釣り人や地域住民からの強い要望に応えるために、育成ヤマメをサクラマスに育成する方法を、従来の餌から甲殻類の餌を与えることで解決したものである。
実施結果は、２年魚のヤマメ、体長１０〜１３ｃｍを、５００尾で、１年後の育成状況は８４尾がヤマメのまま、残りがサクラマスに育成し、体長はヤマメが２２〜２６ｃｍ、サクラマスが３８〜４６ｃｍに育成したのである。
サクラマスの生体調査では、１０尾の内６尾がメスで抱卵あり、残りはオスで白子を確認されたものである。
【図面の簡単な説明】
【図  １】本発明魚体の斜視図
【図  ２】本発明魚体の成長斜視図
【符号の説明】
１はヤマメ魚体  ２はパールマーク
３はサクラマス魚体  ４はパールマークが消えて銀色
【図１】
2004208677.tif 000003
【図２】
2004208677.tif 000004
(57)【要約】      （修正有）【課題】農土木具は昔ながらがほとんどで有るのを、動力利用改良しての、作業の軽減、効率を図るにした物で有る。【解決手段】農土木具の鍬にセット式の取り付け金具を、シャーシー、ステー金具２様成るにしたシャーシー、ステー金具２で鍬７の後側に前向き作動方向にしての振動動力１と、鍬３の柄３をセット式に取り付けた様成るにしての振動部のシャーシー、ステー金具２と、鍬７に取り付けての主動軸金具６に、連結スライド金具４を取り付けての主動軸金具６と振動動力とを振動ツール金具８で取り付けた機構での鍬７様成るにしたセット式の振動動力付き農土木具。【選択図】図１
2004208675.tif 000002
【特許請求の範囲】
【請求項１】
振動動力の振動作動を利用したセット式の振動動力付き農土木具。
【請求項２】
農土木具の鍬にセット式の取付金具を、シャーシー、ステー金具様成るにした、シャーシー、ステー金具で鍬の後側に前向き作動方向にしての振動動力と、鍬の柄をセット式に取り付けた様成るにしての、振動部のシャーシー、ステー金具と、鍬に取り付けての主動軸金具に、連結スライド金具を取り付けての主動軸金具と振動動力とを振動ツール金具で取り付けた機構での鍬様成るにした、セット式の振動動力付き農土木具。
【発明の詳細な説明】
本発明は、農土木具の鍬に、振動動力を取り付けるセット式んのシャーシー、ステー金具様成るにしたシャーシー、ステー金具で、振動動力を鍬の外側に前向き作動方向にして、セット式で取り付けた振動動力のシャーシー、ステー金具に、セット式に取り付けての振動動力機構部様成るシャーシー、ステー金具に、鍬を取り付ける連結スライド金具に、調整スプリングを入れて取り付けた連結スライド金具を、鍬の主動軸金具に取り付けての主動軸金具を、鍬の頭部に取り付けた様成る鍬後側にセット式に取り付けた振動動力と、鍬の頭部の主動軸金具を振動ツール金具で、両端を取り付けた事成るにした鍬が振動動力に依る耕し作動する様成るにした振動動力付き農土木具の鍬であるにした事に依っての、耕し作業の軽減、効率を図る機構様成るにした物である。
【図面の簡単な説明】
【図１】振動動力付き農土木具鍬の平断面図である。
【図２】振動動力付き農土木具スコップ平断面図である。
【符号の説明】
１  振動動力
２  シャーシー、ステー金具
３  鍬の柄
４  連結スライド金具
５  スプリング
６  主動軸金具
７  鍬
８  振動ツール金具
【図１】
2004208675.tif 000003
【図２】
2004208675.tif 000004
(57)【要約】【課題】従来の害鳥獣捕獲装置は、金網の囲いの中に好物の釣餌を置き、釣餌に釣られて中に入る装置であるため、警戒心が強く囲いの中に入らないので、捕獲率向上を計り考えたものである。【解決手段】本発明の害鳥獣捕獲装置は台座（１）の角に４本のパイプ支柱を固定し、支柱連結パイプ（４）を固定金具（５）で固定し、その支柱（２）に天蓋（３）を設置し、天蓋（３）の端に４枚の落下扉（６）を蝶番（７）で取り付け、落下扉（６）の中央の端に支え金（８）を支え金止め金（９）に落下扉（６）を上げながら止めて４枚の落下扉（６）をセットすると、台座（１）の中央部に設置した踏板（１１）の上の釣餌に釣られて踏板（１１）を害鳥獣が踏むと同時に連結されている引き金（１２）、てこ金（１０）、止め金（９）と連動し、閉じ込むようにした。【選択図】  図１
2004208672.tif 000002
【特許請求の範囲】
【請求項１】
台座（１）の角に４本のパイプ支柱（２）を固定し、支柱連結パイプ（４）を固定金具（５）で固定し、その支柱（２）に天蓋（３）を設置し、天蓋（３）の端に４枚の落下扉（６）を蝶番（７）で取り付け、落下扉（６）の中央の端に付けた落下扉支え金（８）を天蓋（３）の中央に固定してある支え金止め金（９）に掛け止め、その止めた部分をてこ金（１０）の端を、踏板（１１）に引き金（１２）で連動するように繋ぎ、害鳥獣が踏板の上にある釣餌（１５）に釣られて踏めば、てこ金（１０）が連動し、上に上った落下扉（６）が落下し、落下扉（６）の上に乗ったストッパー（１３）も同時に落下し、害鳥獣を閉じ込むようにした害鳥獣捕獲装置。
【発明の詳細な説明】
【０００１】
【発明の属する技術分野】
この発明は、四方の落下扉（６）が全部上っていて、中央の踏板（１１）の上に仕掛けた釣餌（１５）に釣られ、害鳥獣が踏板（１１）を踏むと同時に、四方の落下扉（６）が瞬時に落下し、閉じ込めるようにした害鳥獣捕獲装置に関するものである。
【０００２】
【従来の技術】
従来の箱型捕獲装置は、左右の落下扉がレールに添って直上に上っていて、踏板又は横に張った針金を横切ると同時に落下扉が落ちて閉じ込めるようにした装置で、他の二方に囲いの網があるため、害鳥獣が警戒して入らないので捕獲率が悪かった。
【０００３】
【発明が解決しようとする課題】
従来の鳥獣捕獲装置は、左右の囲いがある中心部に好物の釣餌を仕掛けても囲いの網に警戒して入らないため、本発明ではこれらの難点である囲いを無くして捕獲率向上を考えたものである。
【０００４】
【課題を解決するための手段】
従来の箱型鳥獣捕獲装置は左右に囲いの網があるため、中心部に好物の釣餌を仕掛けても警戒して入らない。そこで本発明では、四方の囲いの落下扉（６）を全部斜め上に上げ、中心部の踏板（１１）の上に好物の釣餌を仕掛け、警戒心無く中に入り、踏板（１１）を踏むと同時に四方の落下扉（６）が瞬時に落ち、閉じ込むようにした。
【０００５】
【発明の実施の形態】
以下、本発明の実施の形態を説明すると、
（イ）  台座（１）の四角に支柱（２）を取り付け、支柱連結パイプ（４）を固定金具（５）で固定し、その支柱（２）に天蓋（３）を設置する。
（ロ）  天蓋（３）の四辺にそれぞれ４枚の落下扉（６）を蝶番（７）で取り付ける。
（ハ）  落下扉（６）の中央の端に付けた落下扉支え金（８）を、支え金止め金（９）に落下扉（６）を斜め上に上げながら、４枚の落下扉（６）をそれぞれセットする。
（ニ）  支え金（８）を止め金（９）に止めた部分に、てこ金（１０）の一端を踏板（１１）に引き金（１２）で繋ぎ、害鳥獣が踏板（１１）の上にある釣餌（１５）に釣られて踏めば、てこ金（１０）が連動し、支え金（８）止め金（９）からはずれ、斜め上に上がった落下扉（６）が４枚同時に落下し、落下扉（６）の上に乗ったストッパーも同時に落下し、害鳥獣を閉じ込める。
【０００６】
【発明の効果】
本発明により、四方の落下扉（６）が全部斜め上に上っているため、害鳥獣がが警戒心無く釣餌めがけて入るため捕獲率が向上した。
【図面の簡単な説明】
【図１】本発明をセットした状態を示す側面図
【図２】本発明の落下扉が落下した状態を示す側面図
【図３】本発明をセットした状態を示す平面図
【符号の説明】
１  台座
２  支柱
３  天蓋
４  支柱連結パイプ
５  固定金具
６  落下扉
７  蝶番
８  支え金
９  止め金
１０  てこ金
１１  踏板
１２  引き金
１３  ストッパー
１４  ストッパー止め金
１５  釣餌
１６  内止め金
【図１】
2004208672.tif 000003
【図２】
2004208672.tif 000004
【図３】
2004208672.tif 000005